(57)【要約】【課題】収納袋の開封作業がより容易であり、医療用容器の収納袋からの取り出しを容易に行うことができる複数の医療用容器を収納した包装体を提供する。【解決手段】複数の医療用容器を収納した包装体１は、複数の医療用容器１０を並列状態にて収納した収納袋２を備える。収納袋は、医療用容器１０の正面に位置するように、医療用容器の上部から下部に向かって延びる向かい合う２本のミシン目状切り込み３、４と、切り込み３，４を横切りかつ、その外方に延びる開封用スリット５を有する。開封用スリットは、切り込み３，４の間に位置しかつ、切り込み３，４の下方に向かって突出した２つの屈曲部５１，５２と、屈曲部５１，５２間に位置し、屈曲部２の屈曲方向と反対方向に延びる中央部５３と、屈曲部５１，５２より延び、ミシン目状切り込み３，４を横切る２つの側部５４，５５を備える。【選択図】図１
2018079013.tif 000002
【特許請求の範囲】
【請求項１】
複数の薬液収納済み医療用容器と、前記医療用容器を並列状態にて収納した収納袋とを備える複数の医療用容器を収納した包装体であって、
前記収納袋は、収納された医療用容器の正面または裏面もしくは収納されたいずれかの前記医療用容器の側面に位置するように、かつ収納した前記医療用容器の上部から下部に向かって延びる向かい合う２本のミシン目状切り込みと、前記２本のミシン目状切り込みを横切りかつ、それぞれの前記ミシン目状切り込みの外方に延びる開封用スリットを有し、前記開封用スリットは、前記２本のミシン目状切り込み間に位置しかつ、前記ミシン目状切り込みの下方もしくは上方に向かって突出した２つの屈曲部と、前記２つの屈曲部間に位置し、前記屈曲部の屈曲方向と反対方向に延びる中央部と、それぞれの前記屈曲部より延び、前記ミシン目状切り込みを横切る２つの側部を備えることを特徴とする複数の医療用容器を収納した包装体。
【請求項２】
前記開封用スリットの前記側部は、前記屈曲部より斜めに延びるものである請求項１に記載の複数の医療用容器を収納した包装体。
【請求項３】
前記２本のミシン目状切り込みは、前記収納袋の上下方向に延びるものであり、前記収納袋は、前記２本の前記ミシン目状切り込みと連続し、かつ周方向に延びる周方向ミシン目状切り込みを備えている請求項１または２に記載の複数の医療用容器を収納した包装体。
【請求項４】
前記２本のミシン目状切り込みは、略平行に設けられている請求項１ないし３のいずれかに記載の複数の医療用容器を収納した包装体。
【請求項５】
前記開封用スリットは、前記２本のミシン目状切り込みの中央部より上部に位置し、前記２つの屈曲部は、前記ミシン目状切り込みの下方に向かって延び、前記中央部は、前記ミシン目状切り込みの上方に向かって延び、前記２つの側部は、前記ミシン目状切り込みの上方に向かって延びるものとなっている請求項１ないし４のいずれかに記載の複数の医療用容器を収納した包装体。
【請求項６】
前記開封用スリットが設けられている部位における２つの前記ミシン目状切り込み間の距離は、２０〜５０ｍｍであり、前記屈曲部間の距離は、２つの前記ミシン目状切り込み間の距離の１／２〜１／１である請求項１ないし５のいずれかに記載の複数の医療用容器を収納した包装体。
【請求項７】
前記開封用スリットの前記２つの屈曲部を結ぶ仮想線と前記中央部間の距離は、５〜３０ｍｍｍｍである請求項１ないし６のいずれかに記載の複数の医療用容器を収納した包装体。
【請求項８】
前記開封用スリットの前記側部の端部と近接する前記ミシン目状切り込み間の距離は、１〜１０ｍｍである請求項１ないし７のいずれかに記載の複数の医療用容器を収納した包装体。
【請求項９】
前記中央部の形状は、円弧状、台形状、矩形状または三角形状である請求項１ないし８のいずれかに記載の複数の医療用容器を収納した包装体。
【請求項１０】
前記医療用容器は、容器体と、前記容器体の下部に設けられた排出ポート部と、上部に設けられた吊下部と、前記容器体内に充填された薬剤を備えるものである請求項１ないし９のいずれかに記載の複数の医療用容器を収納した包装体。
【請求項１１】
請求項１ないし１０の前記複数の医療用容器を収納した包装体を１または複数を収納しかつ梱包された医療用容器梱包体であって、
前記梱包体は、１または複数の前記医療用容器を収納した包装体を収納する包装箱を備え、前記包装箱は、前記包装箱の開封時に、前記２本のミシン目状切り込みおよび前記開封用スリットが、開封面となるように、前記医療用容器を収納した包装体を収納し梱包されていることを特徴とする医療用容器梱包体。
【発明の詳細な説明】
【技術分野】
【０００１】
複数の薬液収納済み医療用容器を並列状態にて収納した収納袋を備える複数の医療用容器を収納した包装体およびそれを梱包した医療用容器梱包体に関する。
【背景技術】
【０００２】
薬剤充填済み医療用容器は、従来より販売されている。充填済み医療用容器は、容器体と、記容器体の下部に設けられた排出ポート部と、上部に設けられた吊下部と、容器体内に充填された薬剤を備えるものが一般的である。このような薬剤充填済み医療用容器は、滅菌された後、個々もしくは複数個を収納袋内に収納し、封止された形態で提供されるものが一般的である。このため、薬剤充填済み医療容器を包装体より取り出すためには、収納袋の開封作業が必要となる。
本願出願人が提供している複数の医療用容器を収納した包装体では、複数の薬液収納済み医療用容器を並列状態にて、収納袋内に収納している。そして、収納袋には、最前列の医療用容器の前面となる位置に２本の平行のミシン目状切り込みを設けている。このミシン目状切り込みにて、収納袋を破袋することにより、開封し、内部の医療用容器を取り出している。
【発明の概要】
【発明が解決しようとする課題】
【０００３】
上述の収納袋に設けられた２本の平行のミシン目状切り込みにより、収納袋を開封することは可能である。しかし、より容易に、収納袋の開封すなわち、薬剤充填済み医療用容器の収納袋からの取り出しを可能することが望まれるようになってきた。
そこで、本発明の目的は、不用意に開封することなく、かつ、収納袋の開封作業がより容易であり、医療用容器の収納袋からの取り出しを容易に行うことができる複数の医療用容器を収納した包装体およびそれを梱包した医療用容器梱包体を提供するものである。
【課題を解決するための手段】
【０００４】
上記目的を達成するものは、以下のものである。
（１）  複数の薬液収納済み医療用容器と、前記医療用容器を並列状態にて収納した収納袋とを備える複数の医療用容器を収納した包装体であって、
前記収納袋は、収納された医療用容器の正面または裏面もしくは収納されたいずれかの前記医療用容器の側面に位置するように、かつ収納した前記医療用容器の上部から下部に向かって延びる向かい合う２本のミシン目状切り込みと、前記２本のミシン目状切り込みを横切りかつ、それぞれの前記ミシン目状切り込みの外方に延びる開封用スリットを有し、前記開封用スリットは、前記２本のミシン目状切り込み間に位置しかつ、前記ミシン目状切り込みの下方もしくは上方に向かって突出した２つの屈曲部と、前記２つの屈曲部間に位置し、前記屈曲部の屈曲方向と反対方向に延びる中央部と、それぞれの前記屈曲部より延び、前記ミシン目状切り込みを横切る２つの側部を備える複数の医療用容器を収納した包装体。
【０００５】
（２）  前記開封用スリットの前記側部は、前記屈曲部より斜めに延びるものである上記（１）に記載の複数の医療用容器を収納した包装体。
（３）  前記２本のミシン目状切り込みは、前記収納袋の上下方向に延びるものであり、前記収納袋は、前記２本の前記ミシン目状切り込みと連続し、かつ周方向に延びる周方向ミシン目状切り込みを備えている上記（１）または（２）に記載の複数の医療用容器を収納した包装体。
（４）  前記２本のミシン目状切り込みは、略平行に設けられている上記（１）ないし（３）のいずれかに記載の複数の医療用容器を収納した包装体。
（５）  前記開封用スリットは、前記２本のミシン目状切り込みの中央部より上部に位置し、前記２つの屈曲部は、前記ミシン目状切り込みの下方に向かって延び、前記中央部は、前記ミシン目状切り込みの上方に向かって延び、前記２つの側部は、前記ミシン目状切り込みの上方に向かって延びるものとなっている上記（１）ないし（４）のいずれかに記載の複数の医療用容器を収納した包装体。
（６）  前記開封用スリットが設けられている部位における２つの前記ミシン目状切り込み間の距離は、２０〜５０ｍｍであり、前記屈曲部間の距離は、２つの前記ミシン目状切り込み間の距離の１／２〜１／１である上記（１）ないし（５）のいずれかに記載の複数の医療用容器を収納した包装体。
（７）  前記開封用スリットの前記２つの屈曲部を結ぶ仮想線と前記中央部間の距離は、５〜３０ｍｍｍｍである上記（１）ないし（６）のいずれかに記載の複数の医療用容器を収納した包装体。
（８）  前記開封用スリットの前記側部の端部と近接する前記ミシン目状切り込み間の距離は、１〜１０ｍｍである上記（１）ないし（７）のいずれかに記載の複数の医療用容器を収納した包装体。
（９）  前記中央部の形状は、円弧状、台形状、矩形状または三角形状である上記（１）ないし（８）のいずれかに記載の複数の医療用容器を収納した包装体。
（１０）  前記医療用容器は、容器体と、前記容器体の下部に設けられた排出ポート部と、上部に設けられた吊下部と、前記容器体内に充填された薬剤を備えるものである上記（１）ないし（９）のいずれかに記載の複数の医療用容器を収納した包装体。
【０００６】
また、上記目的を達成するものは、以下のものである。
（１１）  上記（１）ないし（１０）の前記複数の医療用容器を収納した包装体を１または複数を収納しかつ梱包された医療用容器梱包体であって、
前記梱包体は、１または複数の前記医療用容器を収納した包装体を収納する包装箱を備え、前記包装箱は、前記包装箱の開封時に、前記２本のミシン目状切り込みおよび前記開封用スリットが、開封面となるように、前記医療用容器を収納した包装体を収納し梱包されている医療用容器梱包体。
【発明の効果】
【０００７】
本発明の複数の医療用容器を収納した包装体は、複数の薬液収納済み医療用容器と、医療用容器を並列状態にて収納した収納袋を備える。収納袋は、収納された医療用容器の正面または裏面（もしくは収納されたいずれかの医療用容器の側面）に位置するように、かつ収納した医療用容器の上部から下部に向かって延びる向かい合う２本のミシン目状切り込みと、２本のミシン目状切り込みを横切りかつ、それぞれのミシン目状切り込みの外方に延びる開封用スリットを有し、開封用スリットは、２本のミシン目状切り込み間に位置しかつ、ミシン目状切り込みの下方もしくは上方に向かって突出した２つの屈曲部と、２つの屈曲部間に位置し、屈曲部の屈曲方向と反対方向に延びる中央部と、それぞれの屈曲部より延び、ミシン目状切り込みを横切る２つの側部を備えている。
この複数の医療用容器を収納した包装体では、上記の形態を有する開封スリットを備えているので、開封スリット内に指を入れ押し下げること、もしくは開封スリット部分を把持し、下方に引き下げることを容易に行うことができる。そして、上記の操作により、開封スリットから下部の２本のミシン目状切り込み部分が帯状に収納袋より切り離される。これにより、収納袋は、極めて容易に開封される。
【０００８】
また、本発明の医療用容器梱包体は、上記の複数の医療用容器を収納した包装体を１または複数を収納したものであって、梱包袋は、１または複数の医療用容器を収納した包装体を収納する包装箱を備え、包装箱は、包装箱の開封時に、２本のミシン目状切り込みおよび開封用スリットが、開封面となるように、医療用容器を収納した包装体を収納し梱包されているものである。
この梱包袋では、包装箱を開封することにより、２本のミシン目状切り込みおよび開封用スリットが、露出する。そして、上述したように、開封スリットを用いて開封操作をすることにより、包装箱および収納袋より、医療用容器を容易に取り出すことができる。
【図面の簡単な説明】
【０００９】
【図１】図１は、本発明の複数の医療用容器を収納した包装体の実施例の正面図である。
【図２】図２は、図１に示した複数の医療用容器を収納した包装体の右側面図である。
【図３】図３は、図１に示した複数の医療用容器を収納した包装体の斜視図である。
【図４】図４は、図１に示した複数の医療用容器を収納した包装体の上部の拡大正面図である。
【図５】図５は、図１に示した複数の医療用容器を収納した包装体の開封用スリット付近の拡大正面図である。
【図６】図６は、他の実施例の複数の医療用容器を収納した包装体の開封用スリット付近の拡大正面図である。
【図７】図７は、他の実施例の複数の医療用容器を収納した包装体の開封用スリット付近の拡大正面図である。
【図８】図８は、他の実施例の複数の医療用容器を収納した包装体の開封用スリット付近の拡大正面図である。
【図９】図９は、本発明の複数の医療用容器を収納した包装体の他の実施例の正面図である。
【図１０】図１０は、本発明の複数の医療用容器を収納した包装体の他の実施例の正面図である。
【図１１】図１１は、本発明の複数の医療用容器を収納した包装体の他の実施例の側面図である。
【図１２】図１２は、本発明の医療用容器梱包体の正面図である。
【図１３】図１３は、本発明の複数の医療用容器を収納した包装体の作用を説明するための説明図である。
【図１４】図１４は、本発明の複数の医療用容器を収納した包装体の作用を説明するための説明図である。
【図１５】図１５は、本発明の複数の医療用容器を収納した包装体の作用を説明するための説明図である。
【図１６】図１６は、本発明の複数の医療用容器を収納した包装体に収納される医療用容器の一例の正面図である。
【図１７】図１７は、図１６に示した医療用容器の側面図である。
【図１８】図１８は、図１６に示した医療用容器の底面図である。
【図１９】図１９は、図１６に示した医療用容器の平面図である。
【発明を実施するための形態】
【００１０】
本発明の複数の医療用容器を収納した包装体およびそれを梱包した医療用容器梱包体を図面に示す実施例を用いて説明する。
本発明の複数の医療用容器を収納した包装体１は、複数の薬液収納済み医療用容器１０と、医療用容器１０を並列状態にて収納した収納袋２を備える。収納袋は、収納された医療用容器１０の正面または裏面もしくは収納されたいずれかの医療用容器１０の側面に位置するように、かつ収納した医療用容器１０の上部から下部に向かって延びる向かい合う２本のミシン目状切り込み３、４と、２本のミシン目状切り込み３，４を横切りかつ、それぞれのミシン目状切り込み３，４の外方に延びる開封用スリット５を有する。開封用スリット５は、２本のミシン目状切り込み３，４の間（帯状部分）７に位置しかつ、ミシン目状切り込み３，４の下方もしくは上方に向かって突出した２つの屈曲部５１，５２と、２つの屈曲部５１，５２間に位置し、屈曲部５１，５２の屈曲方向と反対方向に延びる中央部５３と、それぞれの屈曲部５１，５２より延び、ミシン目状切り込み３，４を横切る２つの側部５４，５５を備えている。
【００１１】
図１ないし図５に示す実施例の複数の医療用容器を収納した包装体１について説明する。
本発明の複数の医療用容器を収納した包装体１は、複数の薬液収納済み医療用容器１０と、医療用容器１０を並列状態にて収納した収納袋２を備える。
医療用容器１０は、容器体１１と、容器体１１の下部に設けられた排出ポート部１３と、上部に設けられた吊下部１４と、容器体１１内に充填された薬剤１２を備える。
【００１２】
そして、この実施例の包装体１では、収納袋２内には、上記の医療用容器１０を排出ポート部が下方となるように複数個（具体的には、５つ）並列状態にて収納されている。収納袋２内に収納される医療容器の数としては、２〜１０が好ましく、３〜７がより好ましい。
【００１３】
この実施例の包装体１では、図２に示すように、収納袋２は、内部に収納部２１を有する袋状の物である。この実施例の収納袋２は、１枚のシートを折り返し、上方、下方および後方にてシールすることにより形成されている。このため、収納袋２は、前方に位置する医療用容器１０の正面が平面状となっており、上部に上部シール部２２，下部に下部シール部２３，後部に後部シール部２４を備えている。収納袋２は、上述した様に、前方（最前列）に位置する医療用容器１０の正面に位置し、シール部を備えない平面状部分（平面状前面部）を備えている。
【００１４】
そして、この平面状部分には、収納した医療用容器１０の上部から下部に向かって延びる向かい合う２本のミシン目状切り込み３、４と、２本のミシン目状切り込み３，４を横切りかつ、それぞれのミシン目状切り込み３，４の外方に延びる開封用スリット５を有する。
【００１５】
なお、収納袋としては、後方（最後列）に位置する医療用容器１０の裏面に位置し、シール部を備えない平面状部分(平面状後面部）を備えるものであってもよい。この場合は、２本のミシン目状切り込み３、４および開封用スリット５は、医療用容器１０の裏面に位置し、シール部を備えない平面状部分(平面状後面部）に設けられる。
【００１６】
そして、図１ないし図３に示すように、この実施例の包装体１では、２本のミシン目状切り込み３，４は、収納袋２の上下方向に延びるものであり、さらに、収納袋２は、２本のミシン目状切り込み３，４と連続し、かつ周方向に延びる周方向ミシン目状切り込み６を備えている。周方向ミシン目状切り込み６は、環状に連続するものが好ましい。特に、この実施例の包装体１では、周方向ミシン目状切り込み６は、２本のミシン目状切り込み３，４の下端部（具体的には、下端）と連続するものとなっている。
【００１７】
この実施例の収納袋２では、２本のミシン目状切り込み３、４は、略（ほぼ）平行に設けられている。なお、２本のミシン目状切り込み３、４は、下方に向かって幅が広くなるものであってもよい。また、下方に向かって幅が狭くなるものであってもよい。そして、２本のミシン目状切り込み３、４間の距離（帯状部分７の幅）、特に、開封用スリット５が設けられている部位における２つのミシン目状切り込み間３、４間の距離（帯状部分７の幅）の距離Ｗは、２０〜５０ｍｍであることが好ましく、特に、２５〜３５ｍｍであることが好ましい。
【００１８】
そして、図１ないし図５に示すように、包装体２は、２本のミシン目状切り込み３，４を横切りかつ、それぞれのミシン目状切り込み３，４の外方に延びる開封用スリット５を有している。特に、この実施例では、図４および図５に示すように、開封用スリット５は、２本のミシン目状切り込み３，４の間（帯状部分）７に位置しかつ、ミシン目状切り込み３，４の下方もしくは上方に向かって突出した２つの屈曲部５１，５２と、２つの屈曲部５１，５２間に位置し、屈曲部５１，５２の屈曲方向と反対方向に延びる中央部５３と、それぞれの屈曲部５１，５２より延び、ミシン目状切り込み３，４を横切る２つの側部５４，５５を備えている。また、開封用スリットの側部５４，５５は、屈曲部５１，５２より斜めかつ中央部側に延びるものとなっている。なお、開封用スリットの側部５４，５５は、屈曲部５１，５２より側部方向に延びるものであってもよい。
【００１９】
また、この実施例では、図１ないし図４に示すように、開封用スリット５は、ミシン目状切り込み３，４の上部に設けられている。そして、開封用スリット５は、前方（最前列）に位置する医療用容器１０の正面の上部に位置するものとなっている。具体的には、医療用容器１０の容器体１１の上部に位置するものとなっている。この実施例の容器体１１の上部は、容器体１１の厚さが吊下部１４に向かって徐々に厚さが薄くなるものとなっている。このため、開封用スリット５は、容器体１１の上下方向中央部に比べて、容器体１１と包装体２間にゆとりがある部分に設けられている。このため、開封用スリット５内に指の挿入が容易となっている。
【００２０】
この実施例の包装体に設けられている開封用スリット５は、図１ないし図５に示すように、２本のミシン目状切り込み３，４の間（帯状部分）７に位置しかつ、ミシン目状切り込み３，４の下方に向かって突出した２つの屈曲部５１，５２と、２つの屈曲部５１，５２間に位置し、屈曲部５１，５２の屈曲方向と反対方向に延びる中央部５３と、屈曲部５１より斜め上方に延び、ミシン目状切り込み３を横切る側部５４と、屈曲部５２より斜め上方に延び、ミシン目状切り込み４を横切る側部５５とを備えている。そして、側部５４は、ミシン目状切り込み３と近接し、かつ帯状部分７の外方に位置するスリット端５６を備え、側部５５は、ミシン目状切り込み４と近接し、かつ帯状部分７の外方に位置するスリット端５７を備えている。
【００２１】
そして、開封用スリットの幅Ｌ（両側部の端部間距離）は、２２〜７０ｍｍであることが好ましく、特に、３２〜５０ｍｍであることが好ましい。また、スリットの側部の端部５６、５７とミシン目状切り込み３、４間の距離Ｊは、１〜１０ｍｍであることが好ましく、特に、４〜６ｍｍであることが好ましい。また、２つの屈曲部５１，５２を結ぶ仮想線の延長線と側部５４，５５の端部５６，５７間の距離Ｎ（屈曲部５１，５２に対する側部５４，５５の端部５６，５７の高さ）は、２〜１０ｍｍであることが好ましく、特に、３〜５ｍｍであることが好ましい。
【００２２】
そして、屈曲部５１，５２間の距離Ｍは、１０〜５０ｍｍであることが好ましく、特に、２４〜３０ｍｍであることが好ましい。また、屈曲部５１，５２間の距離は、当該部分における２つのミシン目状切り込み間の距離Ｗの１／２〜１／１であることが好ましく、特に、７／１０〜１／１であることが好ましい。
そして、２つの屈曲部５１，５２を結ぶ仮想線と中央部５３間の距離Ｈ（２つの屈曲部に対する中央部５３の高さ）は、５〜３０ｍｍであることが好ましく、特に、７〜９ｍｍであることが好ましい。
【００２３】
開封用スリット５の中央部５３の形状は、円弧状、台形状、矩形状または三角形状であることが好ましい。そして、この実施例の包装体１では、開封用スリット５の中央部５３の形状は、上方に頂点を有する円弧状のものとなっている。
なお、開封用スリットの中央部の形状は、図６に示す開封用スリット５ａが備える中央部５３ａのように台形状のものであってもよい。台形状の中央部５３ａは、中央に直線状部分を有し、屈曲部５１，５２に向かって幅が徐々に広くなっている。
【００２４】
また、開封用スリットの中央部の形状は、図７に示す開封用スリット５ｂが備える中央部５３ｂのように略三角形状のものであってもよい。略三角形状の中央部５３ｂは、中央に頂点を有し、屈曲部５１，５２に向かって幅が徐々に広くなっている。
また、開封用スリットの中央部の形状は、図８に示す開封用スリット５ｃが備える中央部５３ｃのように略矩形状のものであってもよい。矩形状の中央部５３ｃは、中央に直線状部分を有し、屈曲部５１，５２に向かってほぼ同じ幅を維持するものとなっている。
【００２５】
また、本発明の複数の医療用容器を収納した包装体は、図９に示すようなものであってもよい。図９に示す包装体１ａと上述した包装体１との相違は、開封用スリットの配置位置とその形態である。その他は、上述した包装体１と同じである。
【００２６】
この実施例の包装体１ａでは、図９に示すように、包装体２ａの開封用スリット５ｄは、ミシン目状切り込み３，４の下部に設けられている。
そして、開封用スリット５ｄは、前方（最前列）に位置する医療用容器１０の正面の下部に位置するものとなっている。具体的には、医療用容器１０の容器体１１の下部に位置するものとなっている。この実施例の容器体１１の下部は、容器体１１の厚さが排出ポート部１３に向かって徐々に厚さが薄くなるものとなっている。このため、開封用スリット５ｄは、容器体１１の上下方向中央部に比べて、容器体１１と包装体２ａとの間のゆとりがある部分に設けられている。このため、開封用スリット５ｄ内に指の挿入が容易となっている。
【００２７】
そして、この実施例の開封用スリット５ｄは、図９に示すように、２本のミシン目状切り込み３，４の間（帯状部分）７ａに位置しかつ、ミシン目状切り込み３，４の上方に向かって突出した２つの屈曲部と、２つの屈曲部間に位置し、屈曲部の屈曲方向と反対方向に延びる中央部と、一方の屈曲部より斜め下方に延び、ミシン目状切り込み３を横切る側部と、他方の屈曲部より斜め下方に延び、ミシン目状切り込み４を横切る側部とを備えている。そして、一方の側部は、ミシン目状切り込み３と近接し、かつ帯状部分７ａの外方に位置するスリット端を備え、他方の側部は、ミシン目状切り込み４と近接し、かつ帯状部分７ａの外方に位置するスリット端を備えている。
【００２８】
開封用スリット５ｄの中央部の形状は、上述した開封用スリット５と同様に円弧状のものとなっているが、上述したいずれの実施例のものであってもよい。２本のミシン目状切り込み３，４、開封用スリット５ｄの大きさ等も上述した開封用スリット５と同様であることが好ましい。
【００２９】
また、本発明の複数の医療用容器を収納した包装体は、図１０に示すようなものであってもよい。図１０に示す包装体１ｂと上述した包装体１との相違は、開封用スリットの配置位置とその形態である。その他は、上述した包装体１と同じである。
【００３０】
この実施例の包装体１ｂでは、図１０に示すように、開封用スリット５ｅは、ミシン目状切り込み３，４の中央部に設けられている。そして、開封用スリット５ｅは、前方（最前列）に位置する医療用容器１０の正面の中央部に位置するものとなっている。具体的には、医療用容器１０の容器体１１の中央部に位置するものとなっている。そして、図１０に示すように、包装体２ｂは、２本のミシン目状切り込み３，４を横切りかつ、それぞれのミシン目状切り込み３，４の外方に延びる開封用スリット５ｅを有している。
【００３１】
特に、この実施例では、図１０に示すように、開封用スリット５ｅは、第１のスリット５ｅ１と第２のスリット５ｅ２を有している。そして、第１のスリット５ｅ１と第２のスリット５ｅ２は、向かい合い向きが反対となるように形成されている。さらに、それぞれの中央部にて一体化している。
具体的には、開封用スリット５ｅの第１のスリット５ｅ１は、上述したスリット５と同じ形態となっており、第２のスリット５ｅ２は、上述したスリット５ｄと同じ形態となっている。
【００３２】
具体的には、第１のスリット５ｅ１は、２本のミシン目状切り込み３，４の間（帯状部分）７ｂに位置しかつ、ミシン目状切り込み３，４の上方に向かって突出した２つの屈曲部と、２つの屈曲部間に位置し、屈曲部の屈曲方向と反対方向に延びる中央部と、それぞれの屈曲部より斜め上方に延び、ミシン目状切り込み３，４を横切る２つの側部を備えている。
【００３３】
そして、第２のスリット５ｅ２は、２本のミシン目状切り込み３，４の間（帯状部分）７ｃに位置しかつ、ミシン目状切り込み３，４の上方に向かって突出した２つの屈曲部と、２つの屈曲部間に位置し、屈曲部の屈曲方向と反対方向に延びる中央部と、一方の屈曲部より斜め下方に延び、ミシン目状切り込み３を横切る側部と、他方の屈曲部より斜め下方に延び、ミシン目状切り込み４を横切る側部とを備えている。
【００３４】
そして、それぞれの側部は、ミシン目状切り込み３，４の外側（帯状部分７ｂ，７ｃの外方）に位置するスリット端を備えている。この実施例の包装体１ｂでは、ミシン目状切り込み３，４間の帯状部分を上方および下方のいずれにも容易に破断することができる。
【００３５】
開封用スリット５ｅの第１のスリット５ｅ１と第２のスリット５ｅ２の中央部の形状は、上述した開封用スリット５と同様に円弧状のものとなっているが、上述したいずれの実施例のものであってもよい。２本のミシン目状切り込み３，４、開封用スリット５ｅの第１のスリット５ｅ１と第２のスリット５ｅ２大きさ等も上述した開封用スリット５、５ｄと同様であることが好ましい。
【００３６】
また、本発明の複数の医療用容器を収納した包装体は、図１１に示すようなものであってもよい。図１１に示す包装体１ｃと上述した包装体１との相違は、開封用スリットの配置位置である。
この実施例の複数の医療用容器を収納した包装体１ｃは、複数の薬液収納済み医療用容器１０と、医療用容器１０を並列状態にて収納した収納袋２ｃを備える。収納袋は、収納されたいずれかの医療用容器１０の側面に位置するように、かつ収納した医療用容器１０の上部から下部に向かって延びる向かい合う２本のミシン目状切り込み３、４と、２本のミシン目状切り込み３，４を横切りかつ、それぞれのミシン目状切り込み３，４の外方に延びる開封用スリット５を有する。
【００３７】
この実施例の包装体１ｃでは、図１１に示すように、収納袋２ｃは、内部に収納部２１を有する袋状の物である。この実施例の収納袋２ｃは、１枚のシートを折り返し、上方、下方および後方にてシールすることにより形成されている。このため、収納袋２ｃは、前方に位置する医療用容器１０の正面が平面状となっており、上部に上部シール部２２，下部に下部シール部２３，後部に後部シール部２４を備えている。収納袋２ｃは、前方（最前列）に位置する医療用容器１０の正面に位置し、シール部を備えない平面状部分（平面状前面部）を備えている。
【００３８】
そして、図１１に示すように、収納したいずれかの医療用容器１０の上部から下部に向かって延びる向かい合う２本のミシン目状切り込み３、４と、２本のミシン目状切り込み３，４を横切りかつ、それぞれのミシン目状切り込み３，４の外方に延びる開封用スリット５を有する。
【００３９】
この実施例の収納袋２ｃでは、図１１に示すように、側面の中央部付近に２本のミシン目状切り込み３、４が設けられている。そして、収納袋２ｃには、５つの医療用容器１０が収納されているため、２本のミシン目状切り込み３、４は、３番目の医療用容器１０の側部を上下に延びるものとなっている。２本のミシン目状切り込み３、４の上端は、上部シール部２２の付近もしくはそれに到達するように延びており、下端は、下部シール部２３に到達しないものとなっている。なお、２本のミシン目状切り込み３、４の下端は、下部シール部２３の付近もしくはそれに到達するように延びるものであってもよい。
【００４０】
さらに、収納袋２は、２本のミシン目状切り込み３，４の下端部と連続し、かつ周方向に延びる周方向ミシン目状切り込み６を備えている。周方向ミシン目状切り込み６は、環状に連続するものが好ましい。
２本のミシン目状切り込み３、４の形状、間隔等、また、開封用スリット５の形態、大きさ等は、上述した開封用スリット５と同じものが好適に使用できる。さらに、開封用スリットとしては、上述したすべての形態の開封用スリット５ａ，５ｂ，５ｃ，５ｄ，５ｅを使用してもよい。
【００４１】
上述したすべての実施例において、収納袋２としては、透明であることが好ましい。透明性シートとしては、ポリエチレン、ＬＬＤＰＥ、ＣＰＰなどのポリオレフィンフィルム、ナイロンフィルム、それらの遠心フィルムなどが使用できる。
【００４２】
そして、本発明の包装体内に収納される医療用容器としては、例えば、図１６ないし図１９に示されるような医療用容器１０が用いられる。しかし、医療用容器は、このようなものに限定されるものではない。
【００４３】
この医療用容器１０は、図１６ないし図１９に示すように、容器体１１と、容器体１１の排出部の開口部を封止するとともに、薬剤排出用針の接続が可能な排出ポート部１３と、容器体１１内に充填された薬剤１２と、容器体１１の上部に設けられた吊下部１４と、排出ポート部の下面を被包する被包フィルム１５とを備える。
容器体１１は、下端に開口部を有する筒状の排出部３６と、排出部３６と連続し、かつ上方に延びる筒状下部（扁平筒状下部）３３と、筒状下部と連続し、かつ上方に延びる筒状胴部（扁平筒状胴部）３１と、筒状胴部３１と連続し、かつ上方に延びる筒状上部（扁平筒状上部）３２とを備える。
【００４４】
筒状上部（扁平筒状上部）３２は、容器体１１の上端に向かって、幅および厚さが小さくなるように形成されている。同様に、筒状下部（扁平筒状下部）３３も排出部３６に向かって、幅および厚さが小さくなるように形成されている。このため、筒状上部（扁平筒状上部）３２および筒状下部（扁平筒状下部）３３は、筒状胴部（扁平筒状胴部）３１よりも、厚さが薄いものとなっている。
また、容器体１１は、閉塞した上面部３４を有しており、この上面部３４には、上方に突出する突出部３５が形成されている。突出部３５は、吊下部１４を構成する吊下用部材の装着保持部となっている。
【００４５】
容器体１１は、熱可塑性樹脂により形成されている。容器体１１の形成材料である熱可塑性樹脂としては、例えば、ポリオレフィン（ポリエチレン、ポリプロピレン、エチレン−プロピレンコポリマー、ポリプロピレンとポリエチレンもしくはポリブテンの混合物）、ポリエステル（ポリエチレンテレフタレート、ポリブチレンテレフタレート）、ポリアミド、ポリ塩化ビニリデン、 ポリフッ化ビニリデンなど等が挙げられる。容器体１１の内容積としては、５０〜１６００ｍｌが好ましい。
【００４６】
排出ポート部１３は、容器体１１の排出部３６の開口を封止している。図示する排出ポート部１３は、開口を有する筒状部材３７と、筒状部材３７の開口端を閉塞し、かつ、薬剤排出用針管の接続が可能な封止部（図示せず）を有している。そして、筒状部材３７は、端部に設けられたフランジを備えており、この筒状部材３７のフランジと容器体１１の排出部に設けられたフランジとが液密状態に固着されている。そして、筒状部材３７の下面部全体を被包するように、被覆フィルム１５が、剥離可能に貼着されている。
【００４７】
次に、本発明の医療用容器梱包体を図面に示した実施例を用いて説明する。
本発明の医療用容器梱包体２０は、上記の複数の医療用容器を収納した包装体１を１または複数を収納したものであって、梱包体２０は、１または複数の医療用容器を収納した包装体１を収納する包装箱９を備え、包装箱９は、包装箱９の開封時に、２本のミシン目状切り込み３，４および開封用スリット５が、開封面となるように、医療用容器を収納した包装体１を収納し梱包されているものである。
【００４８】
この実施例では、図１２および図１３に示すように、包装箱９は、直方体状の包装箱本体９０と、包装箱本体９０の上部に設けられた蓋部と、包装箱本体９０の下部に設けられた底部とを備える。そして、蓋部を開くことにより、開封され、開封面となる。蓋部は、４つのフラップ９１，９２、９５，９６を備えている。包装箱９としては、いわゆるダンボール箱が好適である。なお、大きさは、収納される医療用容器の大きさ、収納される医療用容器を収納した包装体１の数により設定される。
【００４９】
そして、この実施例の梱包体２０では、複数の医療用容器を収納した包装体１が、並列に複数収納されたものとなっている。そして、複数の医療用容器を収納した包装体１は、図１２および図１３に示すように、蓋部を開封したときに、２本のミシン目状切り込み３，４および開封用スリット５を有する収納袋２の前面部が、露出するように、収納されている。
【００５０】
次に、本発明の複数の医療用容器を収納した包装体１およびそれを梱包した医療用容器梱包体２０の作用を図１２ないし図１５を用いて説明する。
図１２に示す状態の医療用容器梱包体２０の蓋部を形成する４つのフラップを開き、医療用容器梱包体２０を開封する。包装箱９を開封した状態を図１３に示す。包装箱９の開封により、複数の医療用容器を収納した包装体１の正面部が露出する。また、包装体１の正面部に設けられている２本のミシン目状切り込み３，４および開封用スリット５も露出する。
【００５１】
そして、開封用スリット５の中央部を把持するもしくは開封用スリット内に指を入れ、下方に引くことにより、２本のミシン目状切り込み３，４間の帯状部分７は、徐々に、収納袋２から分離し、図１４に示す状態となる。図１４に示す状態では、収納袋２より帯状部分７が分離した部分が、開口部２７となり、当該部分において、医療用容器１０が露出する。そして、収納袋２の開口部２７より、医療用容器１０を把持し、取り出すことができる。
【００５２】
なお、収納袋２に形成された開口部を広げたい場合には、図１５に示すように、切り込み３もしくは切り込み４の側部付近を持ち、外側へ押し広げることにより、収納袋２の下部は、周方向ミシン目状切り込み６に沿って破断する。これにより、開口部を広げることができる。
【符号の説明】
【００５３】
１  複数の医療用容器を収納した包装体
１０  薬液収納済み医療用容器
２  収納袋
３，４  ミシン目状切り込み
５  開封用スリット
６  周方向ミシン目状切り込み
７  帯状部分
５１，５２  屈曲部
５３  中央部
５４，５５  側部
【図１】
2018079013.tif 000003
【図２】
2018079013.tif 000004
【図３】
2018079013.tif 000005
【図４】
2018079013.tif 000006
【図５】
2018079013.tif 000007
【図６】
2018079013.tif 000008
【図７】
2018079013.tif 000009
【図８】
2018079013.tif 000010
【図９】
2018079013.tif 000011
【図１０】
2018079013.tif 000012
【図１１】
2018079013.tif 000013
【図１２】
2018079013.tif 000014
【図１３】
2018079013.tif 000015
【図１４】
2018079013.tif 000016
【図１５】
2018079013.tif 000017
【図１６】
2018079013.tif 000018
【図１７】
2018079013.tif 000019
【図１８】
2018079013.tif 000020
【図１９】
2018079013.tif 000021